(57)【要約】【課題】ＤＴＳ音声の再生機能又は出力機能を持たない光ディスク再生装置において、再生途中にＤＴＳ音声の圧縮データがオーディオデコーダに送られないようにして、音声が出力されない状態になることを防ぐ。【解決手段】選択されている音声デコーダがＤＴＳデコーダであれば、本編情報の映像及び音声を再生する（＃３）。そして、本編情報の再生途中に、オーディオデコーダ１０が再生する音声データがＤＴＳであることを認識すると（＃４）、サブピクチャデコーダ９等を介して音声デコーダを切り替える旨の警告表示を出力させて（＃５）、ユーザに音声デコーダの切り替えを促す。この表示を受けたユーザが、音声デコーダをリニアＰＣＭに切り替えると（＃６）、リニアＰＣＭで記録された本編データを再生する（＃７）。【選択図】図５
2005130403.tif 000002
【特許請求の範囲】
【請求項１】
光ディスクの記録領域内に記録された映像、音声等の圧縮データを読み取るデータ読取手段と、
前記データ読取手段により読み取った圧縮データの種類を識別するための識別情報のテーブルを記憶する記憶手段と、
前記記憶手段に記憶された識別情報に基づいて、前記データ読取手段により読み取られた映像、音声等の圧縮データをデータの種類毎に振り分けるデマルチプレクサと、
前記デマルチプレクサにより振り分けられた映像の圧縮データに基づいて、映像を再生する映像再生手段と、
前記デマルチプレクサにより振り分けられた音声の圧縮データに基づいて、音声を再生する音声再生手段と、
前記映像再生手段により再生された映像、及び前記音声再生手段により再生された音声を出力する出力手段と、
前記データ読取手段、前記記憶手段、前記デマルチプレクサ、前記映像再生手段、前記音声再生手段及び前記出力手段を制御する制御手段と、
前記制御手段に各種の指令を入力するためにユーザによって操作される入力手段とを備え、
前記記憶手段中の識別情報のテーブルに格納されている識別情報には、音声の圧縮データの種類を識別するための音声識別情報が含まれており、
前記音声再生手段は、
前記データ読取手段により読み取られた各種の音声の圧縮データを再生するための、ＤＴＳ（Digital Theater System）デコーダを除く各種の音声デコーダを有する光ディスク再生装置において、
前記音声再生手段は、
前記映像及び音声の圧縮データの再生開始当初及び再生途中に、ユーザによる前記入力手段の操作に応じて、前記ＤＴＳデコーダを含む任意の音声デコーダの選択が可能であり、
前記制御手段は、選択された前記音声デコーダがＤＴＳデコーダであり、前記映像及び音声の圧縮データを再生中に前記デマルチプレクサから前記音声再生手段に入力された音声の圧縮データの種類がＤＴＳ音声であるとき、前記音声デコーダの選択を切り替えさせるために、音声デコーダをＤＴＳ以外のデコーダに切り替える旨の表示を前記映像再生手段に出力させ、前記出力手段から音声が出力されない状態になることを防止することを特徴とする光ディスク再生装置。
【請求項２】
光ディスクの記録領域内に記録された映像、音声等の圧縮データを読み取るデータ読取手段と、
前記データ読取手段により読み取られた映像、音声等の圧縮データをデータの種類毎に振り分けるデマルチプレクサと、
前記デマルチプレクサにより振り分けられた映像の圧縮データに基づいて、映像を再生する映像再生手段と、
前記デマルチプレクサにより振り分けられた音声の圧縮データに基づいて、音声を再生する音声再生手段と、
前記データ読取手段、前記記憶手段、前記デマルチプレクサ、前記映像再生手段及び前記音声再生手段を制御する制御手段と、
前記制御手段に各種の指令を入力するためにユーザによって操作される入力手段とを備え、
前記音声再生手段は、
前記データ読取手段により読み取られた各種の音声の圧縮データを再生するための、ＤＴＳ（Digital Theater System）デコーダを除く各種の音声デコーダを有する光ディスク再生装置において、
前記制御手段は、選択された前記音声デコーダがＤＴＳデコーダであり、前記映像及び音声の圧縮データを再生中に前記デマルチプレクサから前記音声再生手段に入力された音声の圧縮データの種類がＤＴＳ音声であるとき、前記音声デコーダの選択を切り替えさせるために、前記音声デコーダをＤＴＳ以外のデコーダに切り替える旨の表示を前記映像再生手段に出力させ、前記音声再生手段によって音声が再生されない状態になることを防止したことを特徴とする光ディスク再生装置。
【請求項３】
前記映像及び音声の圧縮データを再生中に、ユーザによる前記入力手段の操作に応じて、任意の前記音声デコーダの選択が可能であることを特徴とする請求項２に記載の光ディスク再生装置。
【発明の詳細な説明】
【技術分野】
【０００１】
本発明は、ＤＶＤ（Digital Versatile Disc）等の光ディスクに記録された映像、音声等の情報を読み取って、これらの情報を再生する光ディスク再生装置に係り、特にＤＴＳ（Digital Theater System）音声の再生機能又は出力機能を持たない光ディスク再生装置に関する。
【背景技術】
【０００２】
従来より、ＤＶＤ−ＲＯＭ(DVD-Read Only Memory)等の光ディスクにおいて、リニアＰＣＭ（Pulse Code Modulation）、ドルビーディジタル、ＭＰＥＧ（Moving Picture Coding Experts Group）オーディオ、ＤＴＳ等の各種の音声圧縮データを記録した、いわゆる多重オーディオストリームの光ディスクがある。この種の光ディスクにおいて、ＤＴＳ音声がストリームの途中に記録されている光ディスクが増加する傾向にある。これに対して、光ディスクに記録された音声等の情報を再生する光ディスク再生装置の中には、音声を再生するオーディオデコーダ内にＤＴＳ音声の再生用のデコーダ（以下、ＤＴＳデコーダという）を有さないものや、ＤＴＳデコーダに関する特許等のライセンス料を払っていないためにＤＴＳ音声を出力しないようにしたものがある。
【０００３】
また、この種の装置において、最初の再生処理の停止時に、ＤＴＳ音声以外の種類の音声に対応していた音声識別情報をＲＡＭに記憶しておいて、再生処理の再開時に、デマルチプレクサが、光ピックアップにより読み取られた音声の圧縮データの中から、ＲＡＭに記憶された音声識別情報に対応したＤＴＳ音声以外の種類の音声圧縮データを抽出してオーディオデコーダに送信するようにしたものが知られている（例えば、特許文献１参照）。また、再生中は再生音声信号を、再生中以外は外部音声信号を出力するように動作する音声切替装置が知られている（例えば、特許文献２参照）。
【特許文献１】特開平５−３０７８３１号
【特許文献２】特開２００３−００６６６５号公報
【発明の開示】
【発明が解決しようとする課題】
【０００４】
上記のような従来のＤＴＳ音声の再生機能又は出力機能を持たない光ディスク再生装置では、ストリームの途中からＤＴＳの音声データが記録されている光ディスクが装填されたとき、再生途中でＤＴＳ音声の圧縮データがオーディオデコーダに送られる。ところが、オーディオデコーダ内には対応するデコーダが存在しないことから、再生途中で突然音声が出力されない状態になってしまい、ユーザに混乱を与える。このような問題は、上記特許文献１乃至特許文献２に示されるいずれの発明によっても、解決することはできない。
【０００５】
本発明は、上記の問題を解決するためになされたものであり、ＤＴＳ音声の再生機能又は出力機能を持たない光ディスク再生装置において、再生途中に音声デコーダをＤＴＳ以外のデコーダに切り替えることにより、ＤＴＳ音声の圧縮データがオーディオデコーダに送られないようにして、音声が出力されない状態になることを防止することを目的とする。
【課題を解決するための手段】
【０００６】
上記目的を達成するために請求項１の発明は、光ディスクの記録領域内に記録された映像、音声等の圧縮データを読み取るデータ読取手段と、データ読取手段により読み取った圧縮データの種類を識別するための識別情報のテーブルを記憶する記憶手段と、記憶手段に記憶された識別情報に基づいて、データ読取手段により読み取られた映像、音声等の圧縮データをデータの種類毎に振り分けるデマルチプレクサと、デマルチプレクサにより振り分けられた映像の圧縮データに基づいて、映像を再生する映像再生手段と、デマルチプレクサにより振り分けられた音声の圧縮データに基づいて、音声を再生する音声再生手段と、映像再生手段により再生された映像、及び音声再生手段により再生された音声を出力する出力手段と、データ読取手段、記憶手段、デマルチプレクサ、映像再生手段、音声再生手段及び出力手段を制御する制御手段と、制御手段に各種の指令を入力するためにユーザによって操作される入力手段とを備え、記憶手段中の識別情報のテーブルに格納されている識別情報には、音声の圧縮データの種類を識別するための音声識別情報が含まれており、音声再生手段は、データ読取手段により読み取られた各種の音声の圧縮データを再生するための、ＤＴＳ（Digital Theater System）デコーダを除く各種の音声デコーダを有する光ディスク再生装置において、音声再生手段は、映像及び音声の圧縮データの再生開始当初及び再生途中に、ユーザによる入力手段の操作に応じて、ＤＴＳデコーダを含む任意の音声デコーダの選択が可能であり、制御手段は、選択された音声デコーダがＤＴＳデコーダであり、映像及び音声の圧縮データを再生中にデマルチプレクサから音声再生手段に入力された音声の圧縮データの種類がＤＴＳ音声であるとき、音声デコーダの選択を切り替えさせるために、音声デコーダをＤＴＳ以外のデコーダに切り替える旨の表示を映像再生手段に出力させ、出力手段から音声が出力されない状態になることを防止するものである。
【０００７】
請求項２の発明は、光ディスクの記録領域内に記録された映像、音声等の圧縮データを読み取るデータ読取手段と、データ読取手段により読み取られた映像、音声等の圧縮データをデータの種類毎に振り分けるデマルチプレクサと、デマルチプレクサにより振り分けられた映像の圧縮データに基づいて、映像を再生する映像再生手段と、デマルチプレクサにより振り分けられた音声の圧縮データに基づいて、音声を再生する音声再生手段と、データ読取手段、記憶手段、デマルチプレクサ、映像再生手段及び音声再生手段を制御する制御手段と、制御手段に各種の指令を入力するためにユーザによって操作される入力手段とを備え、音声再生手段は、データ読取手段により読み取られた各種の音声の圧縮データを再生するための、ＤＴＳ（Digital Theater System）デコーダを除く各種の音声デコーダを有する光ディスク再生装置において、制御手段は、選択された音声デコーダがＤＴＳデコーダであり、映像及び音声の圧縮データを再生中にデマルチプレクサから音声再生手段に入力された音声の圧縮データの種類がＤＴＳ音声であるとき、音声デコーダの選択を切り替えさせるために、音声デコーダをＤＴＳ以外のデコーダに切り替える旨の表示を映像再生手段に出力させ、音声再生手段によって音声が再生されない状態になることを防止したものである。
【０００８】
請求項３の発明は、請求項２に記載の光ディスク再生装置において、映像及び音声の圧縮データを再生中に、ユーザによる入力手段の操作に応じて、任意の音声デコーダの選択が可能であるものである。
【発明の効果】
【０００９】
請求項１の発明によれば、装置がＤＴＳデコーダを有していないにも関わらず、再生開始当初にＤＴＳデコーダが選択され、かつ音声再生手段に入力された音声データの種類がＤＴＳ音声であったとき、音声デコーダを切り替える旨を表示させる。このように、装填された光ディスクがＤＴＳ音声で記録されており、音声デコーダの切り替えが必要であることをユーザに理解させることにより、ユーザに混乱を与えることなく音声デコーダを切り替えさせて、音声が出力されない状態を防止することができる。また、ストリームの途中からＤＴＳ音声が記録されている光ディスクを装填した場合において、鑑賞途中に突然音声が出力されなくなっても、上記の表示が出力されるので、ユーザが混乱するといった事態を防止することができ、装置の使い勝手が向上する。また、再生途中に音声デコーダの選択を行うことができるので、ユーザは、鑑賞を中断することなく、音声デコーダをＤＴＳデコーダに切り替えることができ、装置の使い勝手がさらに向上する。
【００１０】
請求項２の発明によれば、装置がＤＴＳデコーダを有していないにも関わらず、再生開始当初にＤＴＳデコーダが選択され、かつ音声再生手段に入力された音声データの種類がＤＴＳ音声であったとき、音声デコーダを切り替える旨を表示させる。このように、装填された光ディスクがＤＴＳ音声で記録されており、音声デコーダの切り替えが必要であることをユーザに理解させることにより、ユーザに混乱を与えることなく音声デコーダを切り替えさせて、音声が出力されない状態を防止することができる。また、ストリームの途中からＤＴＳ音声が記録されている光ディスクを装填した場合において、鑑賞途中に突然音声が出力されなくなっても、上記の表示が出力されるので、ユーザが混乱するといった事態を防止することができ、装置の使い勝手が向上する。
【００１１】
請求項３の発明によれば、再生途中に音声デコーダの選択を行うことができるので、ユーザは、鑑賞を中断することなく、音声デコーダをＤＴＳデコーダに切り替えることができ、装置の使い勝手がさらに向上する。
【発明を実施するための最良の形態】
【００１２】
本発明を実施するための最良の実施形態によるＤＶＤプレーヤ（光ディスク再生装置）について図面を参照して説明する。図１はＤＶＤプレーヤの電気的ブロック構成を示す。このＤＶＤプレーヤ１は、ＤＶＤ（Digital Versatile Disc）２に記録されている映像、音声等の圧縮データを読み取って映像、音声等を再生し、再生した映像、音声等を出力する装置であり、ＤＴＳ（Digital Theater System）音声の再生用のデコーダを有さないタイプのものである。
【００１３】
上記のＤＶＤプレーヤ１は、トレイに装着されたＤＶＤ２を回転駆動するスピンドルモータ３、ＤＶＤ２に記録されている情報をＲＦ信号の形式で出力する光ピックアップ４（データ読取手段）、光ピックアップ４から出力されたＲＦ信号の２値化処理等を行うＲＦ回路５、及びＲＦ回路５による処理後のデータに対してデータ復調や誤り訂正等のデコード処理を施すデータデコーダ６を備えている。また、ＤＶＤプレーヤ１は、データデコーダ６でデコード処理が施されたデータを主映像圧縮データ、副映像圧縮データ、及び各種の音声圧縮データに振り分けるデマルチプレクサ７、主映像圧縮データを復号するビデオデコーダ８（映像再生手段）、副映像圧縮データを復号して字幕等を再生するサブピクチャデコーダ９（映像再生手段）、各種の音声圧縮データを復号するオーディオデコーダ１０（音声再生手段）を備えている。
【００１４】
図中の加算器１１は、ビデオデコーダ８から送られた主映像とサブピクチャデコーダ９から送られた字幕等の副映像とを合成し、また、Ｄ／Ａ変換処理部１２は、加算器１１により合成された映像データや、オーディオデコーダ１０により復号された音声データをアナログ信号に変換する。また、ビデオ出力端子１３（出力手段）とオーディオ出力端子１４（出力手段）とは、それぞれＤ／Ａ変換処理部１２から送られた映像信号と音声信号とを出力する。
【００１５】
また、ＤＶＤプレーヤ１は、装置全体の制御を行う制御部２０（制御手段）、及び装置本体に対して再生・停止等の指示や各種の設定を行うためのリモコン３０を有している。制御部２０には、上記のスピンドルモータ３、ＲＦ回路５、データデコーダ６、デマルチプレクサ７、ビデオデコーダ８、サブピクチャデコーダ９、オーディオデコーダ１０及び加算器１１に加えて、各種の設定データ等を格納したＲＡＭ２１（記憶手段）、装置に各種の指示を与えるための操作部２２、各種のメッセージを表示する表示部２３、レジューム情報等のデータを一時的に記憶するバッファ２４、及びリモコン３０から送信された赤外線信号を受信する赤外線信号受信部２５が接続されている。
【００１６】
上記のＲＡＭ２１には、主映像圧縮データ、副映像圧縮データ、及び各種の音声圧縮データに関する識別情報のテーブルが記憶されている。このうち、音声圧縮データに関する識別情報は、図２に示されるように、ストリームＩＤとサブストリームＩＤの上位５ビットから構成されており、このテーブルの中には、ＰＣＭ（Pulse Code Modulation）、ドルビーディジタル、ＭＰＥＧ（Moving Picture Coding Experts Group）オーディオの識別情報に加えて、ＤＴＳ（Digital Theater System）の識別情報も格納されている。上記の制御部２０は、ユーザにより再生が指示されると、ＲＡＭ２１からこのテーブル内の識別情報を読み込んでデマルチプレクサ７に伝達すると共に、所定の条件に基づいて選択した特定の種類の音声圧縮データに関する識別情報をデマルチプレクサ７に伝達する。デマルチプレクサ７は、これらの識別情報に基づいて、データデコーダ６から送られた圧縮データを、主映像圧縮データ、副映像圧縮データ、音声圧縮データに振り分けると共に、音声圧縮データの中から上記特定の種類の識別情報を持つ音声圧縮データを抽出する。そして、振り分けた主映像圧縮データと副映像圧縮データとをそれぞれビデオデコーダ８とサブピクチャデコーダ９とに送信し、また、抽出した音声圧縮データをオーディオデコーダ１０に送信する。
【００１７】
図３は、上記図１中のオーディオデコーダ１０の詳細構成を示す。オーディオデコーダ１０は、デマルチプレクサ７から送られた音声圧縮データに含まれる付加データを用いてオーディオデコーダ１０の全体的な動作の制御を行うデコーディング制御部４１、デマルチプレクサ７から送られた音声圧縮データを一時的に格納する入力バッファ４２、入力バッファ４２から送られた音声圧縮データに基づいて音声を再生するオーディオデコーダ中核部４３、及びＤ／Ａ変換処理部１２に出力するディジタル形式の音声データを一時的に格納する出力バッファ４７から構成されている。また、オーディオデコーダ中核部４３は、リニアＰＣＭ音声用のデコーダ４４、ドルビーディジタル音声用のデコーダ４５、及びＭＰＥＧオーディオ用のデコーダ４６を有しているが、ＤＴＳ音声用のＤＴＳデコーダは除かれている。
【００１８】
音声デコーダの選択は、ユーザによるリモコン３０の操作に応じてなされる。例えば、リモコン３０内の所定のキー（例えばメニューキー）が操作されると、音声デコーダを選択するためのメニュー画面がビデオ出力端子１３を介してモニタ装置等に出力され、リモコン３０に設けられている矢印キー等の操作に応じて、音声デコーダが切り替えられる。上記メニュー画面は、ＤＶＤプレーヤ１に光ディスク２が装填されたとき、ストリームの本編の再生が開始される前にモニタ装置等に出力されるようにしてもよい。また、リモコン３０内の所定のキーを各音声デコーダに割り当てておき、いずれかのキーが操作されると直ちに対応する音声デコーダに切り替えられるように構成しても構わない。
【００１９】
次に、上記の音声圧縮データにおけるストリームＩＤとサブストリームＩＤについて図４を参照して説明する。図４は、ＤＶＤ２におけるオーディオパックの記録状態を示す。データデコーダ６からデマルチプレクサ７に送られる音声圧縮データは、このオーディオパック５０を複数個結合して構成したものであるか、又は１つのオーディオパック５０で構成したものである。図に示されるように、オーディオパック５０は、パックヘッダ５１、パケットヘッダ５２、サブストリームＩＤ５３、オーディオデータ５４等より成る。パックヘッダ５１内には、パックスタートコード、システム時刻基準参照値等が含まれており、また、パケットヘッダ５２内には、図に示されるように、パケットスタートコード５５、ストリームＩＤ５６等が含まれている。データデコーダ６からデマルチプレクサ７に送られる音声圧縮データの中には、上記のストリームＩＤ５６とサブストリームＩＤ５３とが含まれており、デマルチプレクサ７は、このストリームＩＤ５６とサブストリームＩＤ５３の上位５ビットを参照して、音声圧縮データの中から特定の種類の音声圧縮データを抽出し、抽出した音声圧縮データをオーディオデコーダ１０に送信する。
【００２０】
本ＤＶＤプレーヤ１は、ＤＴＳデコーダを有していないにも関わらず、再生開始当初にＤＴＳデコーダが選択され、かつオーディオデコーダ１０に入力された音声データの種類がＤＴＳ音声であったとき、サブピクチャデコーダ９を介してモニタ装置等の画面上に音声デコーダを切り替える旨の警告を表示させ、ユーザに音声デコーダの切り替えを促す機能を有している。このとき、音声デコーダがＤＴＳ以外のデコーダに切り替えられるまでオーディオ出力端子１４から音声が出力されないが、ユーザは、画面上で上述した警告を見ることにより、混乱することなく速やかに音声デコーダを切り替えて、鑑賞を続行することができる。
【００２１】
次に、図５に示したフローチャート及び図６に示した画面表示例を参照して、本ＤＶＤプレーヤ１が行う処理について説明する。まず、再生処理を開始すると（＃１）、選択されている音声デコーダを確認し（＃２）、ＤＴＳデコーダであれば、＃３に移行して本編情報の映像及び音声を再生する。そして、本編情報の再生途中に、オーディオデコーダ１０が再生する音声データがＤＴＳ音声であることを認識すると（＃４）、サブピクチャデコーダ９に音声デコーダを切り替える旨の警告表示を出力させて（＃５）、ユーザに音声デコーダの切り替えを促す。このときの画面表示の一例を図６に示す。ユーザが、この表示を受けて、音声デコーダをリニアＰＣＭデコーダ４４に切り替えると（＃６）、リニアＰＣＭ音声で記録された本編データを再生する（＃７）。なお、＃２において選択されている音声デコーダがリニアＰＣＭデコーダであれば、＃７に移行する。また、＃４においてＮＯのときは＃３に戻り、＃６においてＮＯのときは＃５に戻る。また、ＤＶＤプレーヤ１がドルビーディジタル音声又はＭＰＥＧオーディオに対応している場合、すなわち図３に示すようにドルビーディジタルデコーダ４４又はＭＰＥＧオーディオデコーダ４６を有している場合は、＃６においてドルビーディジタルデコーダ４４又はＭＰＥＧオーディオデコーダ４６に切り替えてもよい。この場合にあっては、＃７において、ドルビーディジタルの音声データ又はＭＰＥＧオーディオの音声データが再生される。
【００２２】
上述したように、本実施形態によるＤＶＤプレーヤ１によれば、ＤＶＤプレーヤ１がＤＴＳデコーダを有していないにも関わらず、再生開始当初にＤＴＳデコーダが選択され、かつオーディオデコーダ１０に入力された音声データの種類がＤＴＳ音声であったとき、モニタ装置等の画面中に音声デコーダを切り替える旨を表示させる。このように、装填された光ディスク２がＤＴＳ音声で記録されているため音声デコーダの切り替えが必要であることをユーザに理解させることにより、ユーザに混乱を与えることなく音声デコーダをリニアＰＣＭデコーダ４４等に切り替えさせて、音声が出力されない状態を防止することができる。また、ストリームの途中からＤＴＳ音声が記録されている光ディスク２を装填した場合において、鑑賞途中に突然音声が出力されなくなっても、上記の表示が出力されるので、ユーザが混乱するといった事態を防止することができ、装置の使い勝手が向上する。また、再生途中に音声デコーダの選択を行うことができるので、ユーザは、鑑賞を中断することなく、音声デコーダをＤＴＳデコーダに切り替えることができ、ＤＶＤプレーヤ１の使い勝手がさらに向上する。
【００２３】
なお、本発明は、上記実施形態に限られるものではなく、様々な変形が可能である。例えば、本実施形態では、ＤＴＳ音声再生用デコーダを有さないタイプのＤＶＤプレーヤ１に本発明を適用した場合の例を示したが、ＤＴＳ音声再生用デコーダを有してはいても、ＤＴＳデコーダに関するライセンス上の理由からＤＴＳ音声を出力しないようにしたＤＶＤプレーヤに本発明を適用してもよい。
【図面の簡単な説明】
【００２４】
【図１】本発明の一実施形態に係るＤＶＤプレーヤの電気的ブロック構成図。
【図２】同プレーヤのＲＡＭに格納された音声圧縮データに関する識別情報の内容を示す図。
【図３】同プレーヤのオーディオデコーダの詳細構成を示す図。
【図４】同プレーヤの読取対象となるＤＶＤにおけるオーディオパックの記録状態を示す図。
【図５】同プレーヤの処理を示すフローチャート。
【図６】同プレーヤによって表示される音声デコーダを切り替える旨の警告表示の一例を示した図。
【符号の説明】
【００２５】
１      ＤＶＤプレーヤ（光ディスク再生装置）
４      光ピックアップ（データ読取手段）
７      デマルチプレクサ
８      ビデオデコーダ（映像再生手段）
１０    オーディオデコーダ（音声再生手段）
１３    ビデオ出力端子（出力手段）
１４    オーディオ出力端子（出力手段）
２０    制御部（制御手段）
２１    ＲＡＭ（記憶手段）
４４    リニアＰＣＭ音声用デコーダ（音声デコーダ）
４５    ドルビーディジタル音声用デコーダ（音声デコーダ）
４６    ＭＰＥＧオーディオ用デコーダ（音声デコーダ）
５３    サブストリームＩＤ（音声識別情報）
５６    ストリームＩＤ（音声識別情報）
【図１】
2005130403.tif 000003
【図２】
2005130403.tif 000004
【図３】
2005130403.tif 000005
【図４】
2005130403.tif 000006
【図５】
2005130403.tif 000007
【図６】
2005130403.tif 000008